(57)【要約】【課題】  耐久性の高い暖房機用ヒーターユニットを提供するとともに、製作が容易な暖房機用ヒーターユニットを提供することを目的とする。【解決手段】  発熱体から生じる熱を前方に向けて反射する半円球型の反射板１４を有する暖房機１において、ヒーターユニット３を変形自在の炭素繊維から成る発熱体（カーボン繊維）３１と、前記カーボン繊維３１を封入可能な環状の石英ガラス管３０とから構成し、前記カーボン繊維３１の両端部の外周に端子４を取り付けるとともに、端子部４にて前記石英ガラス管３０を加熱圧着して該石英ガラス管３０内に前記カーボン繊維３１を封入するようにした。【選択図】  図１
2005106449.tif 000002
【特許請求の範囲】
【請求項１】
発熱体から生じる熱を前方に向けて反射する半円球型の反射板を有する暖房機において、ヒーターユニットを変形自在の炭素繊維から成る発熱体と、前記発熱体を封入可能な環状の石英ガラス管とから構成し、前記発熱体の両端部の外周に端子を取り付けるとともに、端子部にて前記石英ガラス管を加熱圧着して該石英ガラス管内に前記発熱体を封入するようにしたことを特徴とする、暖房機用ヒーターユニット。
【請求項２】
請求項１に記載する暖房機用ヒーターユニットにおいて、前記端子は、発熱体の両端部の外周にＴ字形の金属板を巻き付け、カシメて構成したことを特徴とする、暖房機用ヒーターユニット。
【請求項３】
請求項１に記載する暖房機用ヒーターユニットにおいて、前記端子は、発熱体の両端部の外周に線材をコイル状に巻き付けて構成したことを特徴とする、暖房機用ヒーターユニット。
【発明の詳細な説明】
【技術分野】
【０００１】  本発明は、カーボン繊維を素材とした暖房機用ヒーターユニットに関する。
【背景技術】
【０００２】  最近、半円球型（パラボナアンテナ型）の反射板を備えた扇風機型の暖房機が市場に出回っている。この暖房機は、発熱体から生じる熱を反射板で収束するとともに前方に向けて輻射するため、きわめて効率がよいものである。
この暖房機に用いるヒーターユニットは、環状の石英ガラス管にタングステンフィラメントなどの加熱コイルを封入し、このコイル状のフィラメントの両端を直線状に延長するとともに、モリブデン線を接続して端子を構成している（例えば特許文献１、２参照）。
【特許文献１】  特開平１−２２０３８９号公報
【特許文献２】  特許第２６５８１５０号公報
【発明の開示】
【発明が解決しようとする課題】  前記したヒーターユニットでは、加熱コイルとモリブデン線との接続部に応力が集中し、ヒートサイクルの繰り返しにより、その接合部が断線するなどの欠点を有している。
これを防ぐために特許文献２にあるように、環状の石英ガラス管の両端に直管部を設け、ここに直線状に延びる加熱コイルとモリブデン線が直管部の中心に位置するように配置し、直管部において密封するように構成していた。
このように構成したとしても、加熱コイルとモリブデン線とを溶接などにより接続しているため、長時間の使用により接続部から断線するなど耐久性に問題があった。
また、加熱コイルとモリブデン線とを溶接などにより接続するとともに、接線方向へ直線状に延ばす形状としているため、製作が面倒であった。【０００３】  本発明は、上記したような従来の問題点に鑑みて考えられたもので、耐久性の高い暖房機用ヒーターユニットを提供することを目的とする。
また本発明は、製作が容易な暖房機用ヒーターユニットを提供することを目的とする。
本発明は、上記目的のうち少なくとも一つを達成するようにしたものである。
【課題を解決するための手段】
【０００４】  上記のような目的を達成するために、本発明の暖房機用ヒーターユニットは、発熱体から生じる熱を前方に向けて反射する半円球型の反射板を有する暖房機において、ヒーターユニットを変形自在の炭素繊維から成る発熱体と、前記発熱体を封入可能な環状の石英ガラス管とから構成し、前記発熱体の両端部の外周に端子を取り付けるとともに、端子部にて前記石英ガラス管を加熱圧着して該石英ガラス管内に前記発熱体を封入するようにしたことを特徴とするものである。【０００５】  また、前記端子は、発熱体の両端部の外周にＴ字形の金属板を巻き付け、カシメて構成したものである。【０００６】  また、前記端子は、発熱体の両端部の外周に線材をコイル状に巻き付けて構成したものである。【０００７】  上記課題解決手段による作用は次のとおりである。
発熱体の両端部の外周にＴ字形の金属板を巻き付け、巻き付けた個所をカシメるだけで端子を構成することができるので、製作が簡単である。
また、巻き付けてない箇所は平板状に延びており、そのままモリブデン箔に接続すればよく、従来のようにモリブデン線と溶接などで接続する必要がないので、断線することがなく、長時間の使用に耐えることができる。
また、発熱体の両端部の外周に線材をコイル状に巻き付けた場合も、巻き付けてない箇所は直線状に延びており、同様にモリブデン線と溶接などで接続する必要がないので、断線することがなく、長時間の使用に耐えることができる。
【発明の効果】
【０００８】  本発明は、以上説明したようになるから次のような効果を得ることができる。
＜イ＞断線することがなく、耐久性の高い暖房機用ヒーターユニットを提供することができる。
＜ロ＞製作が容易な暖房機用ヒーターユニットを提供することができる。
【発明を実施するための最良の形態】
【実施例１】
【０００９】  以下、図面を参照しながら、本発明に係る実施の形態について説明する。
図１はヒーターユニットを示す図である。図２は端子部の構造を示す図で、図３は端子部の取付手順を示す図である。図４は暖房機を示す概略図である。【００１０】＜イ＞暖房機の構成（図４）
先ず暖房機の概略構成を図４に基づいて説明する。
暖房機１は、半円球型（パラボラアンテナ型）の反射板１４を有する電気ストーブである。
暖房機１は、台１０、台１０から立ち上がる支柱１１、支柱１１にヒンジ１３を介して取り付けられた胴体部１２、胴体部１２に取り付けられた反射板１４と前面カバー１５、及びこれらの間に配置されたヒーターユニット３とからなる。
ヒーターユニット３は、後述するように略環状に形成され、この前面をヒーターカバー５が覆っている。
ヒーターユニット３は、反射板１４の前面略中央であって、この反射板１４からに所定の間隔をもって位置するように胴体部１２に取り付けられている。
１６は、ヒーターユニット３の電源をオンオフするためのスイッチである。【００１１】＜ロ＞ヒーターユニット（図１）
ヒーターユニット３は、発熱体であるカーボン繊維３１を石英ガラス管３０に封入して構成する。
石英ガラス管３０は、直径８〜１０ミリメートルの筒状の石英製ガラス管を、馬蹄形、楕円形、円形、オメガ形など環状に屈曲させて形成している。
カーボン繊維３１は、細長く帯状又は紐状に形成され、それ自体は柔軟で変形自在である。
カーボン繊維３１は、例えば１枚のシート状に製作され、これを同じ方向に多数切断し、図２に示すように断面矩形の細長い形状とすることができる。
このカーボン繊維３１を石英ガラス管３０に挿入し、例えば石英ガラス管３０の両端部を折り曲げながら環状に屈曲する。
カーボン繊維３１は、基本的に炭素からなるため、空気中で発熱させると、それ自体が燃えてしまう。そこで、石英ガラス管３０の内部を真空にした状態でカーボン繊維３１を収納する。あるいは石英ガラス管３０の内部を不活性ガス雰囲気としてもよい。カーボン繊維３１は、変形自在のため、石英ガラス管３０の各種形状に沿って挿着することができる。
このように構成したヒーターユニット３の両端部に端子４を取り付け、端子４が外部コード３３に接続する構造である。【００１２】＜ハ＞端子
端子４は、例えば、カーボン繊維３１の両端部の外周にＴ字形の金属板４０を巻き付け、これをカシメて構成する（図２、図３参照）。
カーボン繊維３１の両端部の外周にＴ字形の金属板４０を巻き付けるだけで端子４を構成することができるので、製作が簡単である。
巻き付けてない個所は平板（直線）状に延びる突出片４１となっており、この突出片４１の先端が例えば略矩形のモリブデン箔４２に溶接４３されている（図２参照）。
モリブデン箔４２から先は、従来と同様に碍子３２を介してコード３３を接続する構造である。
このように構成された本発明の端子４は、従来のようにモリブデン線と溶接などで接続する必要がなく、そのままモリブデン箔４２に溶接４３するだけなので、断線することがなく、長時間の使用に耐えることができる。
また、金属板４０をモリブデンで構成すれば、そのまま碍子３２を介してコード３３を接続することができ、さらに製作が簡単である。【００１３】＜ニ＞ヒーターカバー
ヒーターカバー５は、ヒーターユニット３の前面に設置され、ヒーターユニット３から放出される熱を反射板１４に放射するようになっている。
ヒーターカバー５は、例えばセラミックで構成し、ヒーターユニット３から発生する熱によって大量の遠赤外線が放射されるようにするのが好ましい。
図４に示すように、ヒーターカバー５がヒーターユニット３を覆うことにより、ヒーターユニット３から放出される熱が外部に分散されずに反射板１４に放射され、熱効率を極大化させることができる。【００１４】＜ホ＞作用
まず、ユーザーがスイッチ１６を操作してヒーターユニット３に電源を供給すると、端子４を介してカーボン繊維３１内が電気的に導電され、カーボン繊維３１が発熱し、輻射エネルギーが発生する。
輻射エネルギーは反射板１４で反射され、室内へ放出される。また輻射エネルギーによりヒーターカバー５も加熱され、ヒーターカバー５からも多量の遠赤外線が発生して室内へ放出されて使用者に有益な作用をする。
ここで端子４は、Ｔ字形の金属板４０をカーボン繊維３１の両端部の外周に巻き付けて構成し、平板状に延びる突出片４１がモリブデン箔４２に溶接４３するか、そのままコード３３に接続しているので、断線することがなく、長時間の使用に耐えることができる。
【実施例２】
【００１５】  端子４は、カーボン繊維３１の両端部外周にコイル状線材４４を巻き付けたものであってもよい（図５参照）。
そしてコイル状線材４４の先端に、略矩形のモリブデン箔４２を溶着して端子４を構成する。
図５は、断面円形のカーボン繊維３１にコイル状線材４４を巻き付けた例を示しているが、前記したように断面矩形のカーボン繊維３１に巻き付けてもよく、各種形状のカーボン繊維３１に巻き付けることができる。
モリブデン箔４２から先は、従来と同様に碍子３２を介してコード３３を接続する構造である。
本例のようにカーボン繊維３１の両端部の外周にコイル状線材４４を巻き付けた場合も、巻き付けてない箇所は直線状に延びており、モリブデン線と溶接などで接続することなく、そのままモリブデン箔４２に溶着すればよいので断線することがなく、長時間の使用に耐えることができる。
【図面の簡単な説明】
【００１６】
【図１】ヒーターユニットの正面図。
【図２】端子の取付構造を示す斜視図。
【図３】端子を取り付ける手順を示す斜視図。
【図４】暖房機の概略図。
【図５】端子の他の取付構造を示す斜視図。
【符号の説明】
【００１７】１・・・・暖房機
１４・・・反射板
３・・・・ヒーターユニット
３０・・・石英ガラス管
３１・・・カーボン繊維
４・・・・端子
４０・・・金属板
４１・・・突出片
４２・・・モリブデン箔
４４・・・コイル状線材
【図１】
2005106449.tif 000003
【図２】
2005106449.tif 000004
【図３】
2005106449.tif 000005
【図４】
2005106449.tif 000006
【図５】
2005106449.tif 000007